(57)【要約】【課題】光学ズーム機能の使用中でも電子ズーム機能で瞬時に任意の倍率の被写体を表示できる撮像装置を提供する。【解決手段】処理部１１０は、望遠（テレ）側又は広角（ワイド）側のズーム操作に応じてズーム制御回路１２０を制御し、モータ１２２を駆動させ、鏡胴１５を進退駆動する。これに合わせ、ズームポジションの指標となるズームバーＢ及びズームバーＢ上で現在のズームポジションを示すアイコンＰ１の画像と、光学ズームの倍率を示すアイコンＩ１と、電子ズーム倍率Ｍｎの電子ズームで拡大されるスルー画像中の領域を示す拡大枠ＦｎをＯＳＤ信号発生回路１１０ａで生成し、アイコンＩ１、ズームバーＢ、アイコンＰ１及び拡大枠Ｆｎをスルー画像に合成して表示部１１４に表示する。【選択図】  図６
2006033371.tif 000002
【特許請求の範囲】
【請求項１】
ズームレンズと、
前記ズームレンズによる被写体の拡大倍率である光学ズーム倍率の設定を受け付ける光学ズーム倍率設定部と、
前記設定された光学ズーム倍率に対応するズームポジションに前記ズームレンズを駆動するレンズ駆動部と、
前記駆動されたズームレンズによって結像された被写体像を光電変換した第１画像を得る撮像部と、
前記第１画像を表示装置に表示する表示制御部と、
電子ズーム倍率の設定を受け付ける電子ズーム倍率設定部と、
前記第１画像から前記設定された電子ズーム倍率に対応する画素範囲を切り出し、該画素範囲の画像内容を所定サイズに拡大した第２画像を生成する電子ズーム部と、
を備え、前記表示制御部は前記設定された電子ズーム倍率に応じて拡大された第２画像を前記表示装置に表示させる撮像装置。
【請求項２】
前記表示制御部は前記設定された電子ズーム倍率に対応する画素範囲を示す情報を前記第１画像とともに表示する請求項１に記載の撮像装置。
【請求項３】
前記表示制御部は前記設定された光学ズーム倍率と前記設定された電子ズーム倍率とを積算した値である最終倍率を前記表示装置に表示する請求項１又は２に記載の撮像装置。
【請求項４】
前記表示制御部は現在第２画像が表示されている旨を示す情報を前記第２画像とともに表示する請求項１〜３のいずれかに記載の撮像装置。
【発明の詳細な説明】
【技術分野】
【０００１】
本発明は撮像装置に係り、特に光学ズーム機能と電子ズーム機能を有する撮像装置に関する。
【背景技術】
【０００２】
従来、光学ズーム機能と電子ズーム機能を利用して画角を瞬時に切り換える技術が考案されている。例えば特許文献１によると、映像記録系回路より独立したＥＶＦモニタ系回路の画角を切り換えるスイッチを設け、ズームレンズの光学ズーム領域を２段階以上に区分けし光学ズームと電子ズーム動作を交互に動作させる。
【特許文献１】特開平７−３３６５６９号公報
【発明の開示】
【発明が解決しようとする課題】
【０００３】
ところで、光学ズーム機能を使用して被写体を拡大させるには、ズームレンズを駆動する必要があるため、瞬時に被写体を拡大することが困難である。電子ズーム機能は瞬時に被写体を拡大させることが可能であるが、電子ズーム機能は光学ズームによる最大倍率が設定された後でしか使用できないのが通常であり、特許文献１のカメラでも、区分けされた光学ズーム領域で電子ズームを交互に動作させることができるだけである。本発明はこのような問題点に鑑みてなされたもので、光学ズーム機能の使用中でも電子ズーム機能で瞬時に任意の倍率の被写体を表示できる撮像装置を提供することを目的とする。
【課題を解決するための手段】
【０００４】
上記課題を解決するため、請求項１に係る発明は、ズームレンズと、前記ズームレンズによる被写体の拡大倍率である光学ズーム倍率の設定を受け付ける光学ズーム倍率設定部と、前記設定された光学ズーム倍率に対応するズームポジションに前記ズームレンズを駆動するレンズ駆動部と、前記駆動されたズームレンズによって結像された被写体像を光電変換した第１画像を得る撮像部と、前記第１画像を表示装置に表示する表示制御部と、電子ズーム倍率の設定を受け付ける電子ズーム倍率設定部と、前記第１画像から前記設定された電子ズーム倍率に対応する画素範囲を切り出し、該画素範囲の画像内容を所定サイズに拡大した第２画像を生成する電子ズーム部と、を備え、前記表示制御部は前記設定された電子ズーム倍率に応じて拡大された第２画像を前記表示装置に表示させる撮像装置を提供する。
【０００５】
この発明によると、任意の光学ズーム倍率を設定して第１画像を表示している最中でも、電子ズーム倍率を任意に設定すれば、設定した電子ズーム倍率で第１画像を拡大した第２画像を瞬時に表示させることができる。
【０００６】
請求項２に係る発明は、前記表示制御部は前記設定された電子ズーム倍率に対応する画素範囲を示す情報を前記第１画像とともに表示する請求項１に記載の撮像装置を提供する。
【０００７】
この発明によると、設定された電子ズーム倍率で拡大される領域が第１画像のどの範囲であるかを示すことができる。
【０００８】
請求項３に係る発明は、前記表示制御部は前記設定された光学ズーム倍率と前記設定された電子ズーム倍率とを積算した値である最終倍率を前記表示装置に表示する請求項１又は２に記載の撮像装置を提供する。
【０００９】
この発明によると、最終的にどれだけの倍率で第２画像が表示されているのかを示すことができる。
【００１０】
請求項４に係る発明は、前記表示制御部は現在第２画像が表示されている旨を示す情報を前記第２画像とともに表示する請求項１〜３のいずれかに記載の撮像装置を提供する。
【００１１】
この発明によると、光学ズーム機能に加えて電子ズーム機能も使用されている旨を撮影者に知らせることができる。
【発明の効果】
【００１２】
この発明によると、任意の光学ズーム倍率を設定して第１画像を表示している最中でも、電子ズーム倍率を任意に設定すれば、設定した電子ズーム倍率で第１画像を拡大した第２画像を瞬時に表示させることができる。
【発明を実施するための最良の形態】
【００１３】
以下、添付した図面を参照し本発明の好ましい実施の形態を説明する。
【００１４】
［概略構成］
図１〜３は、本発明の好ましい実施形態に係るカメラ１０の外観斜視図である。このカメラ１０は、ズームレンズ１２を備えたデジタルカメラであり、カメラ本体から前方へ突出したレンズ部１４と本体側部のグリップ部２２を撮影者が確実に保持して、撮影ブレを防止できる大きさと形状を有している。ズームレンズ１２には、例えば光学６倍ズームレンズが用いられ、望遠（テレ）側又は広角（ワイド）側のズーム操作に応じて鏡胴１５が進退駆動される。
【００１５】
カメラ上部にはポップアップ式のストロボ１６が設けられ、ストロボ発光部の横にはストロボ調光センサ１８が設けられている。符号４０は、ストロボ１６を利用可能状態の位置にポップアップさせるストロボポップアップボタンである。グリップ部２２上面にはシャッターボタン８０が配置され、セルフタイマーランプ２０はグリップ部２２の前面に設けられている。
【００１６】
レンズ１４にはフォーカス・ズームリング（以下ＦＺリングという）２４が設けられており、マニュアルフォーカスモード（ＭＦ）時に撮影者がＦＺリング２４を手で回動操作すると、手動によるピント調整を行うことができる。あるいは、コンティニュアスオートフォーカス（Ｃ−ＡＦ）モード若しくはシングルオートフォーカス（Ｓ−ＡＦ）モード時に撮影者がＦＺリング２４を手で回動操作すると、手動による光学ズーム調整を行うことができる。ＭＦ／Ｃ−ＡＦ／Ｓ−ＡＦモードの切り換えは、モード切換スイッチ３０で行う。
【００１７】
カメラ１０の側面には、Ｃ−ＡＦモード、Ｓ−ＡＦモード又はＭＦモードを選択するモード切換スイッチ３０、ズームキー３２、情報ボタン３４、露出補正ボタン３６、及びホワイトバランス調整ボタン３８等が配設されている。これら各操作部は、撮影者がカメラ１０のレンズ部１４を保持した左手の親指で操作できる位置に設けられている。
【００１８】
ズームキー３２は、ズームレンズ１２の焦点距離の調節と電子ズーム機能による拡大／縮小の指示に兼用される操作部である。ズームキー３２は、カメラ１０の前後方向に傾動するシーソー型スイッチ構造を有し、傾動方向に応じてズームレンズ１２の焦点距離をテレ側及びワイド側へ変更できる。ズームキー３２の前側部分（Ｔキー）が押されると、テレ方向（拡大方向）にズーム制御され、ズームキー３２の後側部分（Ｗキー）が押されると、ワイド方向（縮小方向）にズーム制御される。なお、ＴキーとＷキーを分離して別々の方向とすることも可能である。
【００１９】
モード切換スイッチ３０がＣ−ＡＦモード又はＳ−ＡＦモード側に選択されると、ＦＺリング２４を手で回動操作して手動による光学ズーム調整を行うことができる。一例として、カメラ１０背面から見てＦＺリング２４を右側に回動するとテレ方向（拡大方向）にズーム制御され、ＦＺリング２４を左側に回動すると、ワイド方向（縮小方向）に光学ズーム制御される。回動方向とテレ方向／ワイド方向の関係は上記と逆でもよい。
【００２０】
情報ボタン３４は、撮影時の撮影条件をワンタッチでカメラ１０の液晶モニタ６８（図２参照）に表示させる指示を与える手段である。露出補正ボタン３６は、撮影画像の露出補正量を指示するときに使用され、ホワイトバランス調節ボタン３８は、ホワイトバランスの設定を変更するときに使用される。
【００２１】
カメラ１０側面に設けられている端子カバー４２を開けると、他の電子機器と情報の送受信を行うための通信コネクタ（例えばＵＳＢ端子）４４、映像信号を送受信する映像出力端子４６、外部から電源を供給する際に利用する電源入力端子４８が設けられている。
【００２２】
図２は、カメラ１０の背面側斜視図である。カメラ背面には、ファインダー５０及び液晶モニタ６８が設けられ、操作部として、十字キー５２、メニュー／実行ボタン５４、キャンセル／戻るボタン５６、表示ボタン５８、シフトボタン６０、表示切換ボタン６２、拡大表示ボタン６４、並びにＡＥロックの指示を入力するＡＥ固定ボタン６６等が設けられている。
【００２３】
ファインダー５０は、電子ビューファインダーで構成されるが、このファインダー５０を光学式ファインダーに置換する態様も可能である。液晶モニタ６８は、撮影時に画角確認用の電子ファインダーとして使用できるとともに、撮影した画像のプレビュー画やメモリカード等の外部記録装置から読み出した再生画像等を表示する表示手段である。また、十字キー５２やコマンドダイヤル９６（図３参照）を使用したメニューの選択や各メニューにおける各種項目の設定なども液晶モニタ６８の表示画面を用いて行われる。更に液晶モニタ６８には、撮影可能枚数（コマ数）や再生コマ番号の表示、マクロモード表示、記録画質（クオリティー）表示、画素数表示等の情報を表示することができる。
【００２４】
撮影者はファインダー５０又は液晶モニタ６８に映し出される映像を見て画角を調整することができる。表示切換ボタン６２には、画像や情報の表示先としてファインダー５０を使用するか液晶モニタ６８を使用するかを切り換える指示を入力する操作部である。
【００２５】
十字キー５２は、上下左右のいずれかの縁部を押圧することによって、対応する４方向（上下左右）の指示を入力できるように構成された多機能キーであり、メニュー画面における各種設定項目の選択や、設定内容の変更を指示する操作キーとして使用されるとともに、ズームレンズ１２の焦点距離調整（テレ／ワイド操作）、電子ズームの倍率調整、ズーム中心の移動指示、再生コマの送り／戻しを指示する手段として用いられる。なお、十字キー５２は、一つの操作部材が上下左右に傾動するタイプでもよいし、上下左右の４つのキーが別々に設けられていてもよい。
【００２６】
メニュー／実行ボタン５４は、各モードの通常画面からメニュー画面へ遷移させる時、あるいは選択内容の確定、処理の実行指示の時などに使用される。キャンセル／戻るボタン５６は、処理のキャンセル又は処理を以前の状態に戻すことを指定する手段であり、メニューから選んだ項目の取消や一つ前の操作状態に戻す時などに使用される。
【００２７】
表示ボタン５８は、液晶モニタ６８をＯＮ／ＯＦＦ操作したり、再生中のコマ番号等の表示／非表示を切り換えるための手段である。シフトボタン６０は、十字キー５２などの多機能キーの機能を拡張するためのプッシュスイッチである。拡大表示ボタン６４は、被写体に対する合焦状態を確認するために画面の一部（例えば、画面中心部）を拡大表示させる指示を行う操作ボタンである。
【００２８】
カメラ背面に設けられた操作部のうち、シフトボタン６０は、他の操作ボタン（キー）との同時押しの必要に鑑み、撮影者が左手で操作できる位置に設けられているが、シフトボタン６０以外の操作部（５２、５４、５６、５８、６２、６４、６６）は、撮影者がグリップ部２２を把持した右手の親指で操作できる位置に設けられている。
【００２９】
グリップ部２２のあるカメラ側部にはスロットカバー７０が開閉自在に設けられており、カバー内部には、外部記録装置を装着するメディアスロット（不図示）が設けられている。また、カメラ１０の底面には、図示せぬ電池を装着する部分を覆う電池カバー７２及び三脚用ねじ穴７４が設けられている。
【００３０】
図３は、ストロボ１６と鏡胴１５を収納した状態のカメラ１０の斜視図である。カメラ１０の上面には、シャッターボタン８０、電源スイッチ８２、モードレバー８４、ストロボ１６の発光モード又は発光禁止を指示するストロボボタン８６、マクロ（近距離撮影）モードの設定又は解除を指示するマクロボタン８８、セルフタイマーボタン９０、連写モードの設定又は解除を指示する連写ボタン９２、モードダイヤル９４、及び各種モードを設定するコマンドダイヤル９６が設けられている。
【００３１】
シャッターボタン８０は、画像の記録開始を指示する手段であり、シャッターボタン８０を軽く押して止める「半押し」の状態で自動ピント合わせ（ＡＦ）及び自動露出制御（ＡＥ）が作動し、「半押し」から更に押し込む「全押し」の状態を指示する録画ボタンとして兼用される。モードレバー８４は、カメラ１０を撮影又は再生の各モードに設定する手段である。モードレバー８４は、電源スイッチ８２の外周に回動自在に支持されたレバースイッチで構成され、該モードレバー８４の停止位置によって撮影モードと再生モードを切り換えることができる。
【００３２】
モードダイヤル９４は、各種の撮影モードを切り換える手段である。モードダイヤル９４を回し、ダイヤル上に描かれた各モードのマークを指標に合わせることにより、セットアップモード、マニュアル撮影モード、絞り優先の撮影モード、シャッター速度優先の撮影モード（通常撮影モード）、夜景、人物、遠景等の撮影シーンを設定して撮影するシーンセレクトモード、動画記録モード等のモード選択を行うことができる。
【００３３】
セットアップモードは、例えば記録画像の解像度、圧縮率、シャープネス、記録色、日付、ビープ音の有無等の設定を行うモードである。なお、画像の記録に関する解像度、圧縮率などは、撮影モードにおけるメニュー画面からも設定できる。マニュアル撮影モードに設定したときは、露出やストロボの発行量あるいはフォーカスなどを全て手動で設定することができる。
【００３４】
図４は、カメラ１０の内部構成を示すブロック図である。ズームレンズ１２を含む光学ユニット１００の後方にはＣＣＤ等の固体撮像素子１０２が配置されており、ズームレンズ１２を通過した光は、固体撮像素子１０２に入射する。固体撮像素子１０２の受光面には、フォトセンサが平面的に配列されており、該受光面に結像された被写体像は、各フォトセンサによって入射光量に応じた量の信号電荷に変換される。こうして蓄積された信号電荷は、図示せぬドライバ回路から与えられるパルス信号に基づいて信号電荷に応じた電圧信号（画像信号）として順次読み出され、撮像回路１０６に加えられる。
【００３５】
撮像回路１０６は、ゲイン調整回路及びＡ／Ｄ変換器を含み、撮像回路１０６を通してデジタル信号に変換された画像データは、画像処理回路１０８及びハイパスフィルタ（ＨＰＦ）１２５へ送られる。画像処理回路１０８は、輝度・色差信号生成回路、ガンマ補正回路、シャープネス補正回路、コントラスト補正回路、ホワイトバランス補正回路、撮影画像に対する輪郭補正を含む画像処理を行う輪郭処理部、画像のノイズ低減処理を行うノイズ低減処理部等を含む画像処理手段であり、ＲＩＳＣ（Reduced Instruction Set Computer）などで構成される処理部１１０からのコマンドに従って画像信号を処理する。
【００３６】
画像処理回路１０８に入力された画像データは、輝度信号（Ｙ信号）及び色差信号（Ｃｒ、Ｃｂ信号）に変換されるとともに、ガンマ補正等の所定の処理が施された後、メモリ１１２に格納される。メモリ１１２に記憶された画像データは、処理部１１０の指令に従って読み出され、ＮＴＳＣ方式などの所定の信号形式に変換された後、表示部１１４に出力される。表示部１１４は、カメラ１０に内蔵されたファインダー５０、液晶モニタ６８又は映像出力端子４６等に接続された外部の表示装置に相当する。なお、処理部１１０は、ＯＳＤ信号発生回路１１０ａを含み、ＯＳＤ信号発生回路１１０ａはシャッター速度や絞り値、撮影可能枚数、撮影日時、警告メッセージ等の文字及びアイコン等の記号を表示するための信号を発生させる。このＯＳＤ信号発生回路１１０ａから出力される信号は、必要に応じて画像信号に混合されて、表示部１１４に供給される。これにより、スルー画像や再生画像に文字やアイコン等が合成された合成画像が表示される。
【００３７】
固体撮像素子１０２から出力される画像信号によってメモリ１１２内の画像データが定期的に書き換えられ、その画像データから生成される映像信号が表示部１１４に供給されることにより、固体撮像素子１０２を介して撮像される画像がリアルタイムに表示部１１４に表示される。
【００３８】
モードレバー８４によって撮影モードが選択され、モードダイヤル９４によって静止画撮影のモードが選択された状態で、シャッターボタン８０が押下されると撮影開始指示（レリーズＯＮ）信号が発せられる。即ち、図示せぬフォーカス駆動部を制御してフォーカス動作を行うとともに、固体撮像素子１０２の電荷蓄積時間（いわゆる電子シャッター）を制御することにより露出制御を行う。
【００３９】
シャッターボタン８０の全押し操作に呼応して、取り込まれた記録用の画像データは、画像処理回路１０８において所定の処理が施された後、必要に応じて圧縮処理され、外部記録装置１１６に記録される。
【００４０】
外部記録装置１１６は、撮影で得た画像データを保持する手段であり、例えばスマートメディアと呼ばれるメモリカードが使用される。記録メディアの形態はこれに限定されず、ＰＣカード、コンパクトフラッシュ（登録商標）、磁気ディスク、光ディスク、光磁気ディスク、メモリスティックなどでもよく、電子的、磁気的、もしくは光学的、又はこれらの組み合わせによる方式などに従って読み書き可能な媒体を用いることができる。異種・同種の記録メディアを問わず、複数の媒体を装着可能な構成にしてもよい。また、画像ファイルを保存する手段は、カメラ本体に着脱可能なリムーバブルメディアに限らず、カメラに内蔵された記録媒体（内蔵メモリ）であってもよい。
【００４１】
モードダイヤル９４によって動画記録モードが設定されたときには、シャッターボタン８０の押下によって録画動作がスタートし、もう一度シャッターボタン８０を押下すると録画動作が停止する。シャッターボタン８０を押下継続している期間、録画動作を行い、押下解除によって録画を停止するようにしてもよい。動画データは、例えばモーションＪＰＥＧ形式によって外部記録装置１１６に記録される。
【００４２】
モードダイヤル９４によって再生モードが設定されると、外部記録装置１１６から画像ファイルが読み出される。読み出された画像データは、画像処理回路１０８において伸張処理され、表示部１１４に出力される。
【００４３】
一方、撮像回路１０６のＡ／Ｄ変換部でデジタル信号に変換された画像データは、ＨＰＦ１２５でＧ画素成分のみ抽出される。そして、積算処理部１２６で抽出されたＧ画素成分に積算処理が施されて処理部１１０に送られる。処理部１１０は、積算処理部１２６から送られた１画面分の６４分割の画像データの内、中心付近の４エリアの平均値を算出し、これをオートフォーカス（ＡＦ）評価値とする。ＡＦ評価値は、所定周期の経過毎に算出され、算出の度にメモリ１１２に更新記憶される。
【００４４】
撮影者がモード切換スイッチ３０を操作してＣ−ＡＦ又はＳ−ＡＦモードに切り換え、ＦＺリング２４をテレ方向又はワイド方向に回動させると、処理部１１０は、当該操作に応じてズーム制御回路１２０を制御し、モータ１２２を駆動させる。モータ１２２はＤＣモータが用いられ、モータ１２２に印加する電圧の極性を変えることにより、テレ方向又はワイド方向に駆動できる。モータ１２２の動力が図示せぬギヤその他の動力伝達機構を介してズームレンズ１２に伝達されることにより、ズームレンズが移動して焦点距離が変更される。
【００４５】
なお、十字キー５２をズーム操作キーとして機能させることもできる。例えば、カメラ１０を水平に保持した状態（横位置）で、十字キー５２の上キーがズームアップキー（Ｔキー）、下キーがズームダウンキー（Ｗキー）として機能させ、ＦＺリング２４に代えて、十字キー５２を操作してズーム駆動してもよい。
【００４６】
カメラ１０には、駆動したズームレンズ１２の位置（ズームポジション）を検出するための手段としてレンズ位置検出回路１２４が設けられており、その検出結果は処理部１１０に通知される。処理部１１０は、レンズ位置検出回路１２４の検出信号に基づいてズーム位置制御を行う。
【００４７】
レンズ位置検出回路１２４は、モータ１２２の回転によりパルスを発生する回路であってもよいし、レンズ鏡胴１５の外周に位置検出エンコード板を配置した態様であってもよく、本発明の実施に際して特に限定されるものではない。
【００４８】
処理部１１０は、カメラ１０の各回路を統括制御する制御部であり、ズームキー３２、シャッターボタン８０、十字キー５２、メニュー／実行ボタン５４、ＦＺリング２４、モード切換スイッチ３０、ズームキー３２、マクロボタン８８、モードレバー８４、モードダイヤル９４その他からなる操作部１１３から受信する信号に基づき、対応する回路の動作を制御するとともに、表示部１１４における表示制御、ストロボ発光制御、オートフォーカス（ＡＦ）制御及び自動露出（ＡＥ）制御等を行う。
【００４９】
［処理の流れ］
次に、図５のフローチャートに基づき、カメラ１０の実行するズーム処理について説明する。この処理は、任意位置に駆動されたズームレンズ１２から得られたスルー画像に任意倍率の電子ズームを行う処理である。この処理は、モードレバー８４の操作によってカメラ１０が撮影モードに設定され、かつモード切換スイッチ３０を操作してＣ−ＡＦ／Ｓ−ＡＦモードに切り換え、ＦＺリング２４の手動操作で任意倍率の光学ズームが設定できる状態となったときに開始する。モード切換スイッチ３０でＭＦモードが設定され、ズームキー３２での手動操作で任意倍率の光学ズームが設定できる状態となったときに開始してもよい。
【００５０】
Ｓ１では、複数の電子ズーム倍率Ｍｎ（ｎ＝０、１、２、３、４）を規定する正の整数パラメータｎをｎ＝０に設定する。電子ズーム倍率は一例として、Ｍ０＝１、Ｍ１＝１．５、Ｍ２＝３．０、Ｍ３＝４．５とするが、パラメータｎの変動数は０〜３でなくてもよく、該パラメータに対応する電子ズーム倍率Ｍｎも以上の値に限らず、任意に設定してよい。例えば、Ｍ０＝１、Ｍ１＝１．５、Ｍ２＝２．０、・・などのようにｎが１つ増加するごとに倍率が０．５刻みで増加するようにしてもよい。
【００５１】
Ｓ２では、処理部１１０は、望遠（テレ）側又は広角（ワイド）側のズーム操作に応じてズーム制御回路１２０を制御し、モータ１２２を駆動させ、鏡胴１５を進退駆動する。これに合わせ、ズームポジションの指標となるズームバーＢ及びズームバーＢ上で現在のズームポジションを示すアイコンＰ１の画像と、光学ズームの倍率を示すアイコンＩ１と、電子ズーム倍率Ｍｎの電子ズームで拡大されるスルー画像中の領域を示す拡大枠ＦｎをＯＳＤ信号発生回路１１０ａで生成し、アイコンＩ１、ズームバーＢ、アイコンＰ１及び拡大枠Ｆｎをスルー画像に合成して表示部１１４に表示する。
【００５２】
図６（ａ）は、ズームバーＢ、アイコンＰ１、アイコンＩ１と拡大枠Ｆｎがスルー画像に合成されて表示部１１４に表示されている状態を示す。この図では光学ズーム倍率が２．０である旨が示されており、アイコンＰ１は現在の光学ズーム倍率２．０に対応したズームバーＢ上の位置に配置されている。拡大枠Ｆｎの表示位置は、電子ズーム倍率Ｍｎで拡大されるスルー画像上の領域Ｒｎに応じて定まる。ここで、倍率Ｍｎの電子ズームは次のようにして行う。図７に示すように、P11〜Pxy即ちｘピクセル×ｙピクセルの画素からなるスルー画像Ｔの中心を基準とした倍率Ｍｎに対応するサイズの領域Ｒｎ内のデータを切り出し、切り出したデータに対し水平方向及び垂直方向の各方向に対して倍率Ｍｎに応じた割合で画素Pij（i=k〜k+m、j=l〜l+q）の間引きを行うことにより、領域Ｒｎ内の画像をｘピクセル×ｙピクセルの画像にリサイズする。Ｆｎは領域Ｒｎの最縁部を規定するピクセルPkl、P(k+m)l、Pk(l+q)、P(k+m)(l+q)の位置に対応して表示される。Pkl〜P(k+m)(l+q)即ちｍピクセル×ｑピクセルの画素からなるデータ領域Ｒｎのサイズは倍率Ｍｎに対応しており、倍率Ｍｎの値が大きくなればｍ及びｑの値は小さくなり、倍率Ｍｎの値が小さくなればｍ及びｑの値は大きくなるように設定されている。拡大枠Ｆｎにより、設定された電子ズーム倍率で拡大される領域がスルー画像のどの範囲であるかを示すことができる。
【００５３】
Ｓ３では、十字キー５２の上キー又は下キーが押下されたか否かを判断する。上キーが押下された場合はＳ６に移行し、下キーが押下された場合はＳ４に移行する。Ｓ４では、ｎ＞０であるか否かを判断する。ｎ＞０の場合はＳ５に移行し、ｎ＝０の場合はＳ７に移行する。Ｓ５では、ｎから１を減算（デクリメント）した値を新たなｎの値とする。一方、Ｓ６では、ｎに１を加算（インクリメント）した値を新たなｎの値とする。
【００５４】
Ｓ７では、ｎ＝４となったか否かを判断する。ｎ＝４の場合はＳ８に移行し、ｎ＝４でない場合はＳ９に移行する。Ｓ８では、ｎ＝０にする。
【００５５】
Ｓ９では、スルー画像に電子ズーム倍率Ｍｎの電子ズームを行う。上述したように、電子ズーム倍率Ｍｎの電子ズームは領域Ｒｎ内の画素を間引いてリサイズすることで行われる。
【００５６】
Ｓ１０では、リサイズ後の拡大画像に拡大枠Ｆｎを合成して表示部１１４に表示する。この拡大枠Ｆｎの表示は、Ｓ５でｎがデクリメント又はＳ６でｎがインクリメントされたことに対応し、Ｓ２で表示した拡大枠Ｆｎを更新するために行われる。図６（ｂ）は光学ズーム倍率２．０のスルー画像に電子ズーム倍率Ｍ２＝３．０の電子ズームが施されたスルー画像に新たな拡大枠Ｆｎが合成表示された状態を示している。この図に示すように、表示部１１４には、光学ズームと電子ズームの両方が施された画像に、光学ズーム倍率２．０と電子ズーム倍率３．０を積算した最終倍率の値６．０がアイコンＩ２で示されており、かつ現在光学ズームに加えて電子ズームも行われている旨を示すアイコンＩ３も表示されている。アイコンＩ２により最終的にどれだけの倍率で画像が表示されているのかを示すことができ、アイコンＩ３により光学ズーム機能に加えて電子ズーム機能も使用されている旨を撮影者に知らせることができる。
【００５７】
Ｓ１１では、撮影が完了したか否か、即ちモードレバー８４によって「再生モード」が選択されたか否かを判断する。撮影が完了した場合はこの処理を終了し、撮影が完了していない場合はＳ２に戻る。
【００５８】
以上の処理により、任意の光学ズーム倍率を設定して（Ｓ２）スルー画像を表示している最中でも、十字キー５２を操作して電子ズーム倍率を任意に設定すれば（Ｓ３）、設定した電子ズーム倍率でスルー画像上の領域Ｒｎ内の画像を拡大した画像を瞬時に表示させることができる（Ｓ９）。
【００５９】
また、本実施形態に係るカメラ１０の一部又は全部と同様の構成を携帯電話機やＰＤＡ（Personal Digital Data Assistants）などの各種電子機器に設け、上述の処理を実行させることも可能である。
【図面の簡単な説明】
【００６０】
【図１】本発明の好ましい実施形態に係るデジタルカメラの外観を示す図
【図２】デジタルカメラの背面側斜視図
【図３】デジタルカメラの正面側斜視図
【図４】デジタルカメラのブロック図
【図５】ズーム処理の流れを示すフローチャート
【図６】スルー画像及び拡大画像の表示例を示す図
【図７】スルー画像中の切り出し領域を示す図
【符号の説明】
【００６１】
１０：デジタルカメラ、１２：ズームレンズ、２４：ＦＺリング、３０：モード切換スイッチ、８８：マクロボタン、１００：光学ユニット、１０２：固体撮像素子、１０６：撮像回路、１０８：画像処理回路、１１０：処理部、１１４：表示部、１２０：ズーム制御部、１２４：レンズ位置検出回路
【図１】
2006033371.tif 000003
【図２】
2006033371.tif 000004
【図３】
2006033371.tif 000005
【図４】
2006033371.tif 000006
【図５】
2006033371.tif 000007
【図６】
2006033371.tif 000008
【図７】
2006033371.tif 000009